(57)【特許請求の範囲】
【請求項１】
１枚の金属板を折り曲げ形成した台座金具と、別の１枚の金属板を折り曲げ形成した止め金具とから構成される配管用サドルにおいて、
前記台座金具が、略中央部位にネジ止め用透孔が形成されている底板の両端から一対の弧状部分を立ち上がらせ、この一対の弧状部分の一方の上方に止め金具の一端を取り付けるための透孔を設け、弧状部分の他方の上方に止め金具の他端を取り付けるための透孔と該透孔に連接した切欠部を設けた構成を有しており、
前記止め金具が、１枚の金属板の一辺が延伸した「コ」字状の断面形状を有しており、その基部側の一端に前記透孔に先端部から挿通される係止部が形成されており、基部側の他端に前記切欠部を通過して該切欠部に連接する透孔に根元部から挿通される係止部が形成されており、前記「コ」字状の延伸した一辺が操作板であり、延伸されていない一辺が管押圧部であり、
前記台座金具の内側空間に配設された管を前記操作板の回動操作により梃作用で、前記管押圧部によって固定する構成であり、
前記２つの係止部の各々の前記透孔に挿通される部分より先部分が、前記管押圧部による管への押圧方向と反対方向に折り曲げ形成された構成であること、
を特徴とする配管用サドル。
【発明の詳細な説明】
【０００１】
【発明の属する技術分野】
本発明は、ガス・水道等の配管（サヤ管を含む）を床、天井、壁面等に固定するのに用いられる配管用サドルに関する。
【０００２】
【従来の技術】
従来、電気配線用の管や水道管或いはこれらの鞘管を床面等に固定するのに用いられる配管用サドルとしては、実開昭５４−１３４３２２号公報、実開昭６１−７５５７３号公報等に記載されているように、金属板をΩ型に形成し、Ω型部材の環状部分を管に取り付け、Ω型部材の水平脚部のそれぞれをコンクリートネジ等で床面に固定するものが利用されている。また、実開昭４９−１０４０１５号公報、実公平５−２０９４６号公報に記載されているように、Ω型部材及び台座を合成樹脂材で形成したものも知られている
【０００３】
【発明が解決しようとする課題】
配管作業は、機械化が困難で全て手作業で行われるため、取付強度を弱めることなく作業の容易性・簡易性が得られることを課題として配管用サドルの改良が様々に行われている。従来の配管用サドルでは、Ω型部材の水平脚部を２本のコンクリートネジ等で床面等に固定する手法が行われている。
【０００４】
床面等に仮配列した管に対して順次Ω型部材を取り付けて管の固定を行う手法では、管の保持を行いつつΩ型部材の脚部へのネジの締め付けを行わなければならないので、かなり煩雑である。
【０００５】
本発明者は、上記に鑑み、使い勝手が良好で作業性が高い改良された配管用サドルを先に提案した（特願平８−１５８８６３号、同８−１６２２９６号及び同１０−１５８４２８号参照）。
【０００６】
そこで本発明は、当該先提案技術とは別なる構成によって、同一の課題を解決できる配管用サドルを提供することを目的とする。
【０００７】
【課題を解決するための手段】
上記本発明の課題は下記構成によって達成される。
１．１枚の金属板を折り曲げ形成した台座金具と、別の１枚の金属板を折り曲げ形成した止め金具とから構成される配管用サドルにおいて、
前記台座金具が、略中央部位にネジ止め用透孔が形成されている底板の両端から一対の弧状部分を立ち上がらせ、この一対の弧状部分の一方の上方に止め金具の一端を取り付けるための透孔を設け、弧状部分の他方の上方に止め金具の他端を取り付けるための透孔と該透孔に連接した切欠部を設けた構成を有しており、
前記止め金具が、１枚の金属板の一辺が延伸した「コ」字状の断面形状を有しており、その基部側の一端に前記透孔に先端部から挿通される係止部が形成されており、基部側の他端に前記切欠部を通過して該切欠部に連接する透孔に根元部から挿通される係止部が形成されており、前記「コ」字状の延伸した一辺が操作板であり、延伸されていない一辺が管押圧部であり、
前記台座金具の内側空間に配設された管を前記操作板の回動操作により梃作用で、前記管押圧部によって固定する構成であり、
前記２つの係止部の各々の前記透孔に挿通される部分より先部分が、前記管押圧部による管への押圧方向と反対方向に折り曲げ形成された構成であること、
を特徴とする配管用サドル。
【０００８】
【発明の実施の態様】
以下、本発明の詳細について説明する。
【０００９】
図１は本発明に係る配管用サドルの一実施例を示す分解斜視図、図２は図１の配管用サドルを使用例を示す側面図、図３は図２の正面図である。
【００１０】
図１において、配管用サドル１は、台座金具１０と止め金具２０とから構成されており、両者は共に金属板を折り曲げ形成したものである。
【００１１】
台座金具１０は、底板１１の略中央部位にネジ止め用透孔１２が形成されており、側板は管を抱きかかえる一対の弧状部分１３・１４となって立ち上がるように折り曲げ形成されている。
【００１２】
一対の弧状部分１３・１４の一方１３の上方には、止め金具２の一端を取り付けるための透孔１５が設けられており、また、弧状部分１３・１４の他方１４の上方には、止め金具２の他端を取り付けるための透孔１６と該透孔１６に連接した切欠部１７が設けられている。
【００１３】
止め金具２０は、一辺が延伸した「コ」字状の断面形状を有しており、その基部側の一端に前記透孔１５に先端部２１Ａから挿通される係止部２１が形成されており、基部側の他端に前記切欠部１７を通過して該切欠部１７に連接する透孔１６に根元部２２Ａから挿通される係止部２２が形成されており、基端には管押圧部２３が形成されている操作板２４が設けられた構成である。「コ」字状の延伸した一辺が操作板２４となり、延伸されていない一辺が押圧部２３となる。
【００１４】
上記構成の台座金具１０に、上記構成の止め金具２０を取り付ける順番を説明すると、先ず、弧状部分の一方１３の透孔１５に係止部２１をその先端部２１Ａから挿通し（矢符Ｘ参照）、次に弧状部分の他方１４の切欠部１７に係止部２２の根元部２２Ａを通過させて切欠部１７に連接して形成されている透孔１６に係止部２２を挿通させる（矢符Ｙ参照）。止め金具２０の基部側両端の係止部２１・２２が、台座金具１０の透孔１５・１６に挿通されたら、次に止め金具２０の操作板２４を矢符Ｚに示すように操作して回動させる。この回動操作により管を梃作用で固定することになる。
【００１５】
以下、実際の配管作業での利用法を説明する。
【００１６】
先ず、取付面（図２及び図３では天井面）３に配管のための墨出しが行われた後、墨に沿って所定の間隔で台座金具１０の取り付けが行われる。台座金具１０の取り付けは、底板１１に形成されているネジ止め用透孔１２を通してコンクリートくぎを打込むこと、或いは他の止め具を利用して行われる。尚、この作業を行う際には止め金具２０は外されている。
【００１７】
台座金具１０が取付面３に固定されると、台座金具１０の内側空間に下方から管Ｐが配設され、次いで、台座金具１０の弧状部分の一方１３の透孔１５に止め金具２０の係止部２１をその先端部２１Ａから挿通し、次に弧状部分の他方１４の切欠部１７に台座金具２０の係止部２２の根元部２２Ａを通過させて切欠部１７に連接して形成されている透孔１６に係止部２２を挿通させる。この段階では、止め金具２０の操作板２４は、図２の仮想線で示す位置にある。
【００１８】
次に、仮想線で示される位置にある操作板２４を矢符Ｚで示されるように回動操作することにより、押圧部２３が管Ｐを梃作用で固定することになる。
【００１９】
本発明によれば、金属板を折り曲げ形成しているため、該金属板が有している弾性によって管Ｐを締め付け乃至押し付け固定することができる。
【００２０】
【発明の効果】
本発明に係る配管用サドルによれば、配設した管を固定するのに、操作板２４を押し倒す操作だけでよく、従来品のように管固定時におけるネジ止め等の作業が不要であるので、非常に使い勝手が良好となり、作業能率が向上される。
【００２１】
即ち、本発明によれば、先提案技術とは別なる構成で先提案技術と同様の効果を有する配管用サドルを提供することができる。
【図面の簡単な説明】
【図１】本発明に係る配管用サドルの一実施例を示す分解斜視図
【図２】図１の配管用サドルを使用例を示す側面図
【図３】図２の正面図
【符号の説明】
１  配管用サドル
１０  台座金具
１１  底板
１２  ネジ止め用開孔
１３  弧状部分（一方）
１４  弧状部分（他方）
１５  透孔
１６  透孔
１７  切欠部
２０  止め金具
２１  係止部
２１Ａ  係止部先端部
２２  係止部
２２Ａ  係止部根元部
２３  管押圧部
２４  操作板
３  取付面
Ｐ  管
【図１】
0004679744.tif 000002
【図２】
0004679744.tif 000003
【図３】
0004679744.tif 000004